【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
第２のアクセスポイント（ＡＰ）から第１のＡＰにクライアントデバイスをステアリングするための、前記第１のＡＰによって行われる方法であって、
前記クライアントデバイスと前記第２のＡＰとの間の第１のメッセージを検出することと、前記第１のメッセージが、前記クライアントデバイスが前記第２のＡＰにワイヤレスに関連付けられることを示し、前記第１のＡＰによって管理される第１のネットワークが前記第２のＡＰによって管理される第２のネットワークと異なる、
前記クライアントデバイスと前記第１のＡＰによって管理される前記第１のネットワークとの間の以前の関連付けのリストに少なくとも部分的に基づいて、前記第１のＡＰが前記クライアントデバイスについての１次ＡＰであると決定することと、
前記第１のＡＰが前記クライアントデバイスについての前記１次ＡＰであるとの決定に応答して、前記第２のＡＰから前記第１のＡＰに前記クライアントデバイスをステアリングすると決定することと、
前記第１のＡＰから前記クライアントデバイスに関連付け解除メッセージを送信することと、ここにおいて、前記関連付け解除メッセージの送信側として前記第１のＡＰを特定する代わりに、前記関連付け解除メッセージが前記関連付け解除メッセージの送信側として前記第２のＡＰを特定し、前記関連付け解除メッセージは、前記第２のＡＰから前記第１のＡＰに前記クライアントデバイスをステアリングすると前記決定することに応答して、送信される、
を備える方法。
【請求項２】
前記第１のＡＰによって、前記第２のＡＰから前記クライアントデバイスへの通信を模倣するために前記関連付け解除メッセージを生成することをさらに備える請求項１に記載の方法。
【請求項３】
前記第１のＡＰから前記クライアントデバイスに前記関連付け解除メッセージを前記送信することが、前記クライアントデバイスに前記第２のＡＰから関連付け解除させる請求項２に記載の方法。
【請求項４】
前記クライアントデバイスに前記関連付け解除メッセージを前記送信した後、前記第１のＡＰによって、前記クライアントデバイスから関連付け要求を受信することをさらに備える請求項１に記載の方法。
【請求項５】
前記第１のＡＰが前記クライアントデバイスについての前記１次ＡＰであると決定することが、
前記第２のＡＰが前記クライアントデバイスについての前記１次ＡＰでないと決定すること
を含む請求項１に記載の方法。
【請求項６】
前記クライアントデバイスと前記第１のＡＰによって管理される前記第１のネットワークとの間の以前の関連付けの前記リストを維持することをさらに備える請求項１に記載の方法。
【請求項７】
前記第１のネットワークが、プライベートネットワークにアクセスを限定するための証明書を含む前記プライベートネットワークである、請求項１に記載の方法。
【請求項８】
前記第２のＡＰから前記第１のＡＰに前記クライアントデバイスをステアリングすると前記決定することが、
前記第１のＡＰに関連するサービス品質属性がしきい値よりも大きいと決定することと、
前記クライアントデバイスが現在は前記第１のＡＰに関連付けられていないと決定することと
をさらに備える請求項１に記載の方法。
【請求項９】
前記サービス品質属性が、前記第１のＡＰと前記クライアントデバイスとの間の信号強度と、ワイヤレス伝送遅延と、前記第１のＡＰと前記クライアントデバイスとの間の通信のために使用される変調およびコーディング方式に関連するスループットとからなるグループから選択された少なくとも１つのメンバを備える請求項８に記載の方法。
【請求項１０】
第１のアクセスポイント（ＡＰ）であって、
プロセッサと、
前記プロセッサに結合されたワイヤレスネットワークインターフェースと、
命令を記憶したメモリとを備え、前記命令が、前記プロセッサによって実行されるとき、前記第１のＡＰに、
クライアントデバイスと第２のＡＰとの間の第１のメッセージを検出させ、前記第１のメッセージが、前記クライアントデバイスが前記第２のＡＰにワイヤレスに関連付けられることを示し、前記第１のＡＰによって管理される第１のネットワークが前記第２のＡＰによって管理される第２のネットワークと異なる、
前記クライアントデバイスと前記第１のＡＰによって管理される前記第１のネットワークとの間の以前の関連付けのリストに少なくとも部分的に基づいて、前記第１のＡＰが前記クライアントデバイスについての１次ＡＰであると決定させ、
前記第１のＡＰが前記クライアントデバイスについての前記１次ＡＰであるとの決定に応答して、前記第２のＡＰから前記第１のＡＰに前記クライアントデバイスをステアリングすると決定させ、
前記第１のＡＰから前記クライアントデバイスに関連付け解除メッセージを送信させ、ここにおいて、前記関連付け解除メッセージの送信側として前記第１のＡＰを特定する代わりに、前記関連付け解除メッセージが前記関連付け解除メッセージの送信側として前記第２のＡＰを特定し、前記関連付け解除メッセージは、前記第２のＡＰから前記第１のＡＰに前記クライアントデバイスをステアリングするとの決定することに応答して、送信される、
第１のＡＰ。
【請求項１１】
前記第１のＡＰが前記クライアントデバイスについての前記１次ＡＰであると決定するための前記命令が、前記プロセッサによって実行されるとき、前記第１のＡＰに、
前記第２のＡＰが前記クライアントデバイスについての前記１次ＡＰでないと決定させる命令を含む請求項１０に記載の第１のＡＰ。
【請求項１２】
前記命令が、前記プロセッサによって実行されるとき、前記第１のＡＰに、前記クライアントデバイスと前記第１のＡＰによって管理される前記第１のネットワークとの間の以前の関連付けの前記リストを維持させる請求項１０に記載の第１のＡＰ。
【請求項１３】
前記第１のＡＰに、前記第２のＡＰから前記第１のＡＰに前記クライアントデバイスをステアリングすると決定させる前記命令が、前記プロセッサによって実行されるとき、さらに前記第１のＡＰに、
前記第１のＡＰに関連するサービス品質属性がしきい値よりも大きいと決定させ、
前記クライアントデバイスが現在は前記第１のＡＰに関連付けられていないと決定させる命令を備える請求項１０に記載の第１のＡＰ。
【請求項１４】
命令を備える非一時的機械可読媒体であって、前記命令が、第２のアクセスポイント（ＡＰ）から第１のＡＰにクライアントデバイスをステアリングするために前記第１のＡＰのプロセッサによって実行されるとき、前記第１のＡＰに、
前記クライアントデバイスと前記第２のＡＰとの間の第１のメッセージを検出させ、前記第１のメッセージが、前記クライアントデバイスが前記第２のＡＰにワイヤレスに関連付けられることを示し、前記第１のＡＰによって管理される第１のネットワークが前記第２のＡＰによって管理される第２のネットワークと異なる、
前記クライアントデバイスと前記第１のＡＰによって管理される前記第１のネットワークとの間の以前の関連付けのリストに少なくとも部分的に基づいて、前記第１のＡＰが前記クライアントデバイスについての１次ＡＰであると決定させ、
前記第１のＡＰが前記クライアントデバイスについての前記１次ＡＰであるとの決定に応答して、前記第２のＡＰから前記第１のＡＰに前記クライアントデバイスをステアリングすると決定させ、
前記第１のＡＰから前記クライアントデバイスに関連付け解除メッセージを送信させ、ここにおいて、前記関連付け解除メッセージの送信側として前記第１のＡＰを特定する代わりに、前記関連付け解除メッセージが前記関連付け解除メッセージの送信側として前記第２のＡＰを特定し、前記関連付け解除メッセージは、前記第２のＡＰから前記第１のＡＰに前記クライアントデバイスをステアリングするとの決定することに応答して、送信される、
非一時的機械可読媒体。
【請求項１５】
前記第１のＡＰが前記クライアントデバイスについての前記１次ＡＰであると決定するための前記命令が、前記プロセッサによって実行されるとき、前記第１のＡＰに、
前記第２のＡＰが前記クライアントデバイスについての前記１次ＡＰでないと決定させる命令を含む請求項１４に記載の非一時的機械可読媒体。
【請求項１６】
前記命令が、前記プロセッサによって実行されるとき、前記第１のＡＰに、前記クライアントデバイスと前記第１のＡＰによって管理される前記第１のネットワークとの間の以前の関連付けの前記リストを維持させる請求項１４に記載の非一時的機械可読媒体。
【請求項１７】
前記第１のネットワークが、プライベートネットワークにアクセスを限定するための証明書を含む前記プライベートネットワークである、請求項１４に記載の非一時的機械可読媒体。
【請求項１８】
前記第２のＡＰから前記第１のＡＰに前記クライアントデバイスをステアリングすると決定するための前記命令が、
前記第１のＡＰに関連するサービス品質属性がしきい値よりも大きいと決定するための命令と、
前記クライアントデバイスが現在は前記第１のＡＰに関連付けられていないと決定するための命令とをさらに備える請求項１４に記載の非一時的機械可読媒体。
【請求項１９】
前記サービス品質属性が、前記第１のＡＰと前記クライアントデバイスとの間の信号強度と、ワイヤレス伝送遅延と、前記第１のＡＰと前記クライアントデバイスとの間の通信のために使用される変調およびコーディング方式に関連するスループットとからなるグループから選択された少なくとも１つのメンバを備える請求項１８に記載の非一時的機械可読媒体。
【請求項２０】
前記命令が、前記クライアントデバイスへの前記関連付け解除メッセージの送信の後、前記クライアントデバイスから関連付け要求を受信するための命令をさらに備える請求項１４に記載の非一時的機械可読媒体。
【請求項２１】
前記命令が、
前記第１のＡＰによって管理される前記第１のネットワークに関連する第１のネットワーク識別子を決定し、
前記第１のメッセージに少なくとも部分的に基づいて、前記第２のＡＰによって管理される前記第２のネットワークに関連する第２のネットワーク識別子を決定し、ここにおいて、前記第２のネットワーク識別子が、前記第１のネットワーク識別子と異なる、
前記クライアントデバイスに第２のメッセージを送信するための命令をさらに備え、前記第２のメッセージが、前記第１のネットワーク識別子と前記第２のネットワーク識別子とを含む請求項１４に記載の非一時的機械可読媒体。
【請求項２２】
前記第２のメッセージが、ビーコンメッセージまたはプローブ応答メッセージを備える請求項２１に記載の非一時的機械可読媒体。
【請求項２３】
前記命令が、前記第１のＡＰによって、前記第２のＡＰから前記クライアントデバイスへの通信を模倣するために前記関連付け解除メッセージを生成するための命令をさらに備える請求項１４に記載の非一時的機械可読媒体。
【請求項２４】
前記第２のＡＰから前記第１のＡＰに前記クライアントデバイスをステアリングすると前記決定することが、前記第１のネットワークが、前記第２のネットワークについての第２の優先順位よりも高い第１の優先順位を有すると決定することをさらに備える請求項１に記載の方法。
【請求項２５】
前記第１のＡＰによって管理される前記第１のネットワークに関連する第１のネットワーク識別子を決定することと、
前記第１のメッセージに少なくとも部分的に基づいて、前記第２のＡＰによって管理される前記第２のネットワークに関連する第２のネットワーク識別子を決定し、ここにおいて、前記第２のネットワーク識別子が、前記第１のネットワーク識別子と異なる、
前記クライアントデバイスに第２のメッセージを送信することと、前記第２のメッセージが、前記第１のネットワーク識別子と前記第２のネットワーク識別子とを含む
をさらに備える請求項１に記載の方法。
【請求項２６】
前記第２のメッセージが、ビーコンメッセージまたはプローブ応答メッセージを備える請求項２５に記載の方法。
【請求項２７】
前記命令が、前記プロセッサによって実行されるとき、前記第１のＡＰに、
前記第１のＡＰによって、前記第２のＡＰから前記クライアントデバイスへの通信を模倣するために前記関連付け解除メッセージを生成させる請求項１０に記載の第１のＡＰ。
【請求項２８】
前記命令が、前記プロセッサによって実行されるとき、前記第１のＡＰに、
前記第１のＡＰによって管理される前記第１のネットワークに関連する第１のネットワーク識別子を決定させ、
前記第１のメッセージに少なくとも部分的に基づいて、前記第２のＡＰによって管理される前記第２のネットワークに関連する第２のネットワーク識別子を決定させ、ここにおいて、前記第２のネットワーク識別子が、前記第１のネットワーク識別子と異なる、
前記クライアントデバイスに第２のメッセージを送信させる、前記第２のメッセージが、前記第１のネットワーク識別子と前記第２のネットワーク識別子とを含む
請求項１０に記載の第１のＡＰ。
【請求項２９】
前記第２のメッセージが、ビーコンメッセージまたはプローブ応答メッセージを備える請求項２８に記載の第１のＡＰ。
【請求項３０】
第２のアクセスポイント（ＡＰ）から第１のＡＰにクライアントデバイスをステアリングするための前記第１のＡＰであって、
前記クライアントデバイスと前記第２のＡＰとの間の第１のメッセージを検出するための手段と、前記第１のメッセージが、前記クライアントデバイスが前記第２のＡＰにワイヤレスに関連付けられることを示し、前記第１のＡＰによって管理される第１のネットワークが前記第２のＡＰによって管理される第２のネットワークと異なる、
前記クライアントデバイスと前記第１のＡＰによって管理される前記第１のネットワークとの間の以前の関連付けのリストに少なくとも部分的に基づいて、前記第１のＡＰが前記クライアントデバイスについての１次ＡＰであると決定するための手段と、
前記第１のＡＰが前記クライアントデバイスについての前記１次ＡＰであるとの決定に応答して、前記第２のＡＰから前記第１のＡＰに前記クライアントデバイスをステアリングすると決定するための手段と、
前記第１のＡＰから前記クライアントデバイスに関連付け解除メッセージを送信するための手段と、ここにおいて、前記関連付け解除メッセージの送信側として前記第１のＡＰを特定する代わりに、前記関連付け解除メッセージが前記関連付け解除メッセージの送信側として前記第２のＡＰを特定し、前記関連付け解除メッセージは、前記第２のＡＰから前記第１のＡＰに前記クライアントデバイスをステアリングすると決定するための前記手段に応答して、送信される、
を備える第１のＡＰ。
【請求項３１】
前記第１のＡＰによって、前記第２のＡＰから前記クライアントデバイスへの通信を模倣するために前記関連付け解除メッセージを生成するための手段をさらに備える請求項３０に記載の第１のＡＰ。
【請求項３２】
前記第１のＡＰによって管理される前記第１のネットワークに関連する第１のネットワーク識別子を決定するための手段と、
前記第１のメッセージに少なくとも部分的に基づいて、前記第２のＡＰによって管理される前記第２のネットワークに関連する第２のネットワーク識別子を決定するための手段と、ここにおいて、前記第２のネットワーク識別子が、前記第１のネットワーク識別子と異なる、
前記クライアントデバイスに第２のメッセージを送信するための手段と、前記第２のメッセージが、前記第１のネットワーク識別子と前記第２のネットワーク識別子とを含む、
をさらに備える請求項３０に記載の第１のＡＰ。
【請求項３３】
前記第２のメッセージが、ビーコンメッセージまたはプローブ応答メッセージを備える請求項３２に記載の第１のＡＰ。